(57)【要約】  本発明は、内部に液体が保管される容器の入口に締結される蓋に係り、より詳細には、プラスチック、ペット樹脂、ガラス、鋼管製の容器の入口に栓として使用されるが、ユーザーが容器の内容物を飲用するときに栓が容器と分離されないため片手で容易に飲用することができるだけでなく、繰り返し開閉が容易であり、使用後に容器から栓が完全分離されることにより容易なリサイクルを図ることができる多目的エコキャップに関する。また、本発明は、本体が入口となす角度が１２０度以上となるように開放され、ユーザーが飲用の際に顔部分に触れないため不便さを感じない効果を得ることができ、繰り返し飲用の際に失われるおそれがないため再開閉が容易であり、資源のリサイクルのために容器から完全に分離しようとするときに容器に固定される上部リング及び下部リングが別途のツールなしで容易に分離されてリサイクルが容易であるという効果を得ることができる。【選択図】図３
2019534218.tif 000002
【特許請求の範囲】
【請求項１】
容器（６０）の胴体（６２）の上部に形成された入口（６４）を開閉するための蓋として使用される多目的エコキャップ（１０）であって、
内周面にねじ山が形成される本体（２０）と、
前記本体（２０）の下部に切断可能な第１破裂部（２２）で連結される上部リング（３０）と、
前記上部リング（３０）の下部に切断可能な第２破裂部（３２）で連結される下部リング（４０）とを含んでなり、
前記第１破裂部（２２）は、
前記本体（２０）と前記上部リング（３０）が切断されて分離されないように正面に形成される折曲部（２２ａ）を含んで構成され、
前記第２破裂部（３２）は、
前記上部リング（３０）と下部リング（４０）が切断されて分離されないように背面に形成される連結部（３２ａ）を含んで構成され、
前記下部リング（４０）は、
連結部（３２ａ）の一側に第２破裂部（３２）の下部末端から下部リング（４０）の下部末端まで形成される破断溝（４２）を含んで構成されることを特徴とする、多目的エコキャップ。
【請求項２】
前記折曲部（２２ａ）は、本体（２０）の半径サイズに比べて５〜７％の長さに形成されることを特徴とする、請求項１に記載の多目的エコキャップ。
【請求項３】
前記連結部（２２ａ）は、内側面に「Ｖ」字状の折曲溝（２２ａ−１）が形成されることを特徴とする、請求項２に記載の多目的エコキャップ。
【請求項４】
前記折曲部（２２ａ）は、外周面に熱溶着されるホットメルト（５０）をさらに含んで構成されることを特徴とする、請求項３に記載の多目的エコキャップ。
【請求項５】
前記連結部（３２ａ）は、本体（２０）の半径サイズに比べて１０〜１４％の長さに形成されることを特徴とする、請求項２に記載の多目的エコキャップ。
【請求項６】
前記下部リング（４０）は、内周面に突設され、下面に外側方向に行くほど高さが高くなる傾斜面（４４ａ）を有する複数の離脱防止突起（４４）をさらに含んで構成されることを特徴とする、請求項１に記載の多目的エコキャップ。
【発明の詳細な説明】
【技術分野】
【０００１】
本発明は、内部に液体が保管される容器の入口に締結される蓋に係り、より詳細には、プラスチック、ペット樹脂、ガラス、鋼管製の容器の入口に栓として使用されるが、ユーザーが容器の内容物を飲用するときに栓が容器と分離されないため片手で容易に飲用することができるうえ、繰り返し開閉が容易であり、使用後に容器から栓が完全分離されることにより容易なリサイクルを図ることができる多目的エコキャップに関する。
【背景技術】
【０００２】
一般に、プラスチック、ペット樹脂、ガラス及び鋼管製の容器（以下、「容器」という。）は、水やジュースなどの飲み物を主内容物にしてプラスチックキャップを栓として使って市販されており、このような容器用キャップは、容器胴体の上部に開放された入口部分の外側ねじ部分とキャップの内側に形成されるねじ部分とが密着しており、容器に内容物を満たした後、時計回りにキャップを回転させて容器を密閉させ、反時計回りに回転させて密閉を解除する。
【０００３】
上述した容器用キャップは、通常、容器の入口に締結される本体と、本体の下部に連結され、容器の入口の下部に位置する下部リングとから構成されている。
【０００４】
付加して説明すると、流通している従来の容器は、蓋（栓またはキャップ）の構造が、開封後にも、上部に位置した本体と本体の下部に連結された下部リングの一部分とが完全に分離されないように連結されており、蓋の開封後、本体と下部リングとがほぼ付いている構造となっており、口をつけて飲用する場合、蓋に唇が触れるので不便であるため、蓋を容器から完全分離して飲用する場合がほとんどである。
【０００５】
このとき、従来の容器の蓋は、ユーザーが多数回分けて飲用する場合に蓋が失われることが多く、リサイクルしようと回収するときには完全に回収されないという問題点と、飲料を容器に満たして蓋を密封する製造工程で、構造上、本体と下部リングとを連結する連結部が脆弱であって破損することにより、不良品が発生するという問題点とがあった。
【０００６】
さらに、従来の容器の蓋は、容器から完全分離するために、ユーザーが蓋を強く引っ張ると下部リングと一緒に完全に分離されることもあるが、容器の入口の下部に下部リングが残存した状態で蓋の本体のみが分離される場合が多い。
【０００７】
すなわち、従来の容器の蓋は、廃棄されてリサイクルをするとき、容器の材質と蓋の材質とが互いに異なる場合、容器に残っている下部リングを除去するための工程を経なければならないので、リサイクル工程が煩雑になってリサイクル費用が増大するという問題点がある。
【０００８】
上述したように容器と蓋とを互いに完全に分離するための一例として、韓国登録実用新案第０２１３７９２号には、ねじり力を加えて開放することができるように構成されたボトル栓において、前記ボトル栓の下端の周りに沿って形成され、前記ねじり力が加わるときに破裂するようにした破断線からなる第１破裂部と、前記第１破裂部のいずれかの終わる地点からボトル栓の下端に向かって前記第１破裂部と同様の周方向に傾斜をなして形成され、第１破裂部の破裂時に連続して破裂できるようにした第２破裂部とを含んでなるボトル栓を提示している。
【０００９】
韓国登録実用新案第０２１３７９２号のボトル栓は、リサイクルの際にボトル栓を容器から完全に分離させることができるという利点があるが、ユーザーが飲用をするとき、ユーザーの口に触れてユーザーが不便さを感じるおそれがあるという問題点があり、これに対応するために、ユーザーがボトル栓を容器から完全に分離させると、繰り返し飲用する際にボトル栓が失われるおそれがあるという問題点がある。
【００１０】
一方、繰り返し飲用する際に蓋がユーザーの口に触れないようにする一例として、韓国登録実用新案第０２８６４０７号には、通常使われている一端が閉鎖された円筒状の構造であって、内部に雌ねじが形成されている上部キャップ、及び該上部キャップと一体になった円形の指輪状をし、内側には台形の小さな突起が円周に沿って多数配置されている下部リングを含んでなる一般的な蓋において、上部キャップと下部リングとの中間部分に指輪状円形帯を挿入して中間リングを形成し、中間リングの円形の一箇所を切断してそのいずれか一端部を始点として上部キャップの下端部と連結し、他端部を終点として下部リングの上端部と連結する構造を持つ、ペットボトル胴体から分離されないペットボトル蓋を提示している。
【００１１】
上述した韓国登録実用新案第０２８６４０７号のペットボトル蓋は、ユーザーの飲用時に蓋がユーザーの口に触れないため不便ではないという利点を持っているが、実際にユーザーが飲用するときに蓋の遊動によってユーザーの頬や顎などの顔部分に触れて飲用が不便であるという問題点があり、また、容器から蓋を完全に分離するとき、下部リングが容易に分離されないため容器に残存することにより、リサイクルが難しいという問題点がある。
【００１２】
また、上述した韓国登録実用新案第０２１３７９２号及び同第０２８６４０７号の問題点を解決するために、本出願人は、内容物（飲料水または水など）を入れる容器本体と、前記容器本体の首部位を形成する入口の外径に容器ねじ山が形成され、前記容器ねじ山の下部に環状溝２４が形成されるように一対の環状突起を備える容器を開閉するための蓋として用いる容器用エコキャップであって、前記容器ねじ山に対応して螺合されるキャップねじ山が内側上方に形成されるキャップ本体と、前記キャップ本体と切断可能な開放分離ミシン目で連結され、前記容器の環状溝に位置するキャップ固定リングとを含んでなり、前記開放分離ミシン目には、前記キャップ本体と前記キャップ固定リングとの連結状態が維持されるように切断されない離脱防止固定支持台をさらに含んで構成し、前記キャップ固定リングは、前記キャップ本体と部分切断可能に連結されている上部固定リングと、前記上部固定リングの下部に開閉分離円形ミシン目で切断可能に連結されている下部固定リングとを含み、前記開閉分離円形ミシン目は、前記上部固定リングと前記下部固定リングが完全に切断されないように一部の区間に前記開閉分離円形ミシン目が形成されていない構造で構成し、前記キャップ固定リングは、前記上部固定リングが帯状に切断分離できるように前記キャップ本体と前記上部固定リングとの間に形成される離脱防止固定支持台の一側に垂直に形成される第１分離切断線をさらに形成して構成し、前記下部固定リングが帯状に切断分離できるように、前記開閉分離円形ミシン目が形成されていない一部区間の一側に垂直に形成される第２分離切断線をさらに形成して構成することを特徴とする、韓国公開実用新案第２０１５−０００１９３１号の「容器用エコキャップ」を出願したことがある。
【００１３】
ところが、韓国公開実用新案第２０１５−０００１９３１号は、実際の使用時にエコキャップを開放するとき、上部固定リングが破断されるという問題点が発生するとともに、韓国登録実用新案第０２８６４０７号のように飲用の際にユーザーの顔部分にキャップ本体が触れて不便であるという問題点が発生し、さらに、リサイクルのために容器からエコキャップを完全に分離するとき、キャップ本体と上部固定リングとが完全に分離されたり、上固定リングと下部固定リングとが完全に分離されたりする問題が発生してリサイクルが難しいという問題点があった。
【００１４】
すなわち、従来の容器の蓋は、飲用の際にユーザーの顔に触れて不便であるか、或いは、顔に触れる不便さを解消するために容器と完全分離されると、繰り返し飲用の際に失われるおそれがあるという問題点があるとともに、リサイクル時に容器から完全分離させると、容器にリング部分が残存してリサイクルが難しくなるという問題点がある。
【発明の概要】
【発明が解決しようとする課題】
【００１５】
本発明は、上述した従来技術の問題点を解するためになされたもので、従来の容器の蓋の問題点、すなわち、飲用時にユーザーの顔に触れて不便であるか、或いは完全に分離させた後に繰り返し飲用をすれば失われるおそれがあるだけでなく、リサイクルの際に、容器に残存しているリング部分を除去する煩わしさが発生し、これに対する解決点を、繰り返し飲用する際にもユーザーの顔に触れないようにして不便ではないようにするとともに、リサイクル時に容易に容器と完全分離できる多目的エコキャップを提供することを主な目的とする。
【課題を解決するための手段】
【００１６】
上記の目的を達成するために、本発明は、容器の胴体の上部に形成された入口を開閉するための蓋として使用されるエコキャップであって、内周面にねじ山が形成される本体と、前記本体の下部に切断可能な第１破裂部で連結される上部リングと、前記上部リングの下部に切断可能な第２破裂部で連結される下部リングとを含んでなり、前記第１破裂部は、前記本体と上部リングとが切断されて分離されないように正面に形成される折曲部を含んで構成され、前記第２破裂部は、前記上部リングと下部リングとが切断されて分離されないように背面に形成される連結部を含んで構成され、前記下部リングは、連結部の一側に第２破裂部の下部末端から下部リングの下部末端まで形成される破断溝を含んで構成されることを特徴とする、多目的エコキャップを提示する。
【００１７】
また、本発明の前記折曲部は、本体の半径サイズに比べて５〜７％の長さに形成されることを特徴とし、前記連結部は、本体の半径サイズに比べて１０〜１４％の長さに形成されることを特徴とし、前記折曲部は、内側面に「Ｖ」字状の折曲溝が形成され、外周面には熱溶着されるホットメルトをさらに含んで構成されることを特徴とし、前記下部リングは、内周面に突設され、下面に外側方向に行くほど高さが高くなる傾斜面を有する複数の離脱防止突起をさらに含んで構成されることを特徴とする。
【発明の効果】
【００１８】
上述した本発明による多目的エコキャップは、入口となす角度が１２０度以上となるように本体が開放され、ユーザーが飲用の際に顔部分に触れないため不便さを感じない効果を得ることができ、繰り返し飲用の際に失われるおそれがないため再開閉が容易であり、資源のリサイクルのために容器から完全に分離しようとするときに容器に固定される上部リング及び下部リングが別途のツールなしで容易に分離されてリサイクルが容易であるという効果を得ることができる。
【図面の簡単な説明】
【００１９】
【図１】本発明の好適な実施形態によるキャップと容器とを示す側面図である。
【図２】本発明の好適な実施形態によるキャップと容器とを示す部分側断面図である。
【図３】ａ）は本発明の好適な実施形態によるキャップの正面を示す斜視図、ｂ）は本発明の好適な実施形態によるキャップの背面を示す斜視図である。
【図４】ａ）は本発明の好適な実施形態によるキャップを示す正面図、ｂ）は本発明の好適な実施形態によるキャップを示す背面図である。
【図５】本発明の好適な実施形態によるキャップを示す側断面図および底面図である。
【図６】本発明の好適な実施形態によるキャップを示す第１使用状態図である。
【図７】本発明の好適な実施形態によるキャップを示す第２使用状態図である。
【図８】本発明の他の実施形態によるキャップの正面を示す斜視図である。
【発明を実施するための形態】
【００２０】
本発明は、内部に液体が保管される容器の入口に締結される蓋に関し、より詳細には、プラスチック、ペット樹脂、ガラス、鋼管製の容器の入口に栓として使用されるが、ユーザーが容器の内容物を飲用するとき、栓が容器と分離されないため失われるおそれがないうえ、１２０度以上の開放角度を維持することができるためユーザーが不便なく片手で容易に飲用することができ、容器から本体２０、上部リング３０及び下部リング４０が容易に完全分離されることにより、容易なリサイクルを図ることができる多目的エコキャップに関する技術である。
【００２１】
上述した本発明を達成するための構成は、容器６０の胴体６２の上部に形成された入口６４を開閉するための蓋として使用されるエコキャップ１０であって、内周面にねじ山が形成される本体２０と、本体２０の下部に切断可能な第１破裂部２２で連結される上部リング３０と、上部リング３０の下部に切断可能な第２破裂部３２で連結される下部リング４０とを含んで構成され、前記第１破裂部２２は、前記本体２０と上部リング３０が切断されて分離されないように正面に形成される折曲部２２ａを含んで構成され、前記第２破裂部３２は、前記上部リング３０と下部リング４０が切断されて分離されないように背面に形成される連結部３２ａを含んで構成され、前記下部リング４０は、連結部３２ａの一側に第２破裂部３２の下部末端から下部リング４０の下部末端まで形成される破断溝４２を含んで構成されることを特徴とする。
【００２２】
また、本発明の前記折曲部２２ａは、本体２０の半径サイズに比べて５〜７％の長さに形成されることを特徴とし、前記連結部３２ａは、本体２０の半径サイズに比べて１０〜１４％の長さに形成されることを特徴とし、前記折曲部２２ａは、内側面に「Ｖ」字状の折曲溝２２ａ−１が形成され、外周面には熱融着されるホットメルト５０をさらに含んで構成されることを特徴とし、前記下部リング４０は、内周面に突設され、下部面に外側方向に行くほど高さが高くなる傾斜面４４ａを有する複数の離脱防止突起４４をさらに含んで構成されることを特徴とする。
【００２３】
まず、本発明を説明するに先立ち、プラスチック、ペット樹脂、ガラス、鋼管製などからなる容器６０は、一般に、液体状態の内容物が保管される胴体６２と、前記胴体６２の上部に形成され、外周縁にねじ山（図示せず）を有する入口６４とから構成される。
【００２４】
本発明は、前記容器６０の胴体６２の上部に形成された入口６４を開閉するための蓋（栓またはキャップ）として使用される多目的エコキャップ（以下、「キャップ」という。）１０であって、図１及び図２に示すように、入口６４の外周縁に形成されたねじ山と対応するねじ山が内周縁に形成され、時計回りに回転すると容器６０が密閉され、反対方向である反時計回りに回転すると、容器６０の入口６４から分離されて容器６０が開放される。
【００２５】
以下、本発明の実施形態を示す図１乃至図８を参照して、本発明を具体的に説明する。
【００２６】
本発明を達成するための主要構成要素である本体２０は、
内周面にねじ山（図示せず）が形成されるものであって、容器６０の胴体６２の上部に形成された入口６４のねじ山と対応するねじ山が内周面に形成され、時計回りに回転すると、入口６４の下部方向に移動して密閉させ、反時計回りに回転すると、入口６４の上部方向に移動して開放させる。
【００２７】
このとき、本発明の本体２０の外周縁には、摩擦力を高めるために、図１に示すように、複数の溝（図示せず）または突起（図示せず）が形成でき、これにより、ユーザーは容易に本体２０を回転させることができる。
【００２８】
また、本発明の本体２０は、容器６０の入口６４を密閉させるとき、気密性を向上させるために、内側上部に嵌合される合成樹脂製の弾性力を有する密閉部材（図示せず）と、入口６４の内径と同じ直径を有し、内側上部面に下方に突設される密閉突起（図示せず）とをさらに含んで構成できる。
【００２９】
本発明を達成するための主要構成要素である上部リング３０は、
本体２０の下部に切断可能な第１破裂部２２で連結されるものであって、前記第１破裂部２２は、図面に全般的に示されているように、本体２０と上部リング３０とを飛び飛びに連結することにより、容器６０の開放のために本体２０がユーザーによって反時計回りに回転するとき、ねじり力が発生して破断される。
【００３０】
また、前記第１破裂部２２は、図３のａ）と図４のａ）に示すように、本体２０と上部リング３０が切断されて互いに完全分離されないように正面に形成される折曲部２２ａを含んで構成されるが、ここで、前記正面は、詳しく後述される上部リング３０と連結部３２ａの位置を説明するための基準であって、正面方向に限定されず、第１破裂部２２のいずれか一部分に形成されることは自明であろう。
【００３１】
上記と関連して、第１破裂部２２は、折曲部２２ａによって本体２０と上部リング３０が互いに完全分離されることを防止することにより、ユーザーは、本体２０が容器６０、すなわち入口６４から完全分離されず容器６０の上部側面に位置することができるようにして、本体２０の紛失を防止することができる効果を実現させる。
【００３２】
このとき、本発明の本体２０は、反時計回りに回転して入口６４の上部方向に移動して入口６４から完全に分離されると、前記折曲部２２ａによって入口６４の外側へ移動するとともに、前記入口６４に密閉のために結合されたときの位置である下部へ移動し、これにより、本体２０の下部は入口６４の外側面に係止されることにより、ユーザーが入口６４に口を当てて飲用する際に本体２０が口などの顔部分に触れないため不便さを感じない効果を得ることができる。
【００３３】
すなわち、本発明の上部リング３０は、本体２０が反時計回りに回転すると、第１破裂部２２が破断、すなわち切断されると、上部方向に一緒に移動してから、本体２０が入口６４から完全に分離された後、折曲部２２ａによって本体２０と一緒に下部方向に移動して元の位置に復帰することにより、上述したような効果を実現させ、これにより前記本体２０が容器６０から完全に分離されないため紛失を防止することができる効果を実現させる。
【００３４】
また、前記折曲部２２ａは、本体２０の半径サイズに比べて５〜７％の長さに形成されることを特徴とするが、これは、本体２０の半径サイズに比べて５％未満の長さに形成されると、容易に破断されて本体２０と上部リング３０とが分離されるだけでなく、飲用の際に本体２０が折曲部２２ａを基準に容易に回転してユーザーが不便さを感じることがある。
【００３５】
また、前記折曲部２２ａが本体２０の半径サイズに比べて７％を超える長さに形成されると、容易に破断されず、容易に回転しないために本体２０の紛失の懸念及び容易な回転を防止することができるが、本体２０が折曲部２２ａによってさらに元の位置に移動しようとする復元力が強く作用し、飲用の際にユーザーの鼻などの顔部分に触れることができるために不便さを感じてしまうので、本体２０の半径サイズに比べて５〜７％の長さに形成されることが好ましい。
【００３６】
付加して説明すると、前記折曲部２２ａの長さは、リサイクルのために、上部リング３０と後述される下部リング４０を容器６０から完全に分離させるために、本体２０を上部方向に強く引っ張るとき、５％未満に形成されると、折曲部２２ａが先に破断されて上部リング３０と下部リング４０とが容器６０の入口６４の部分に残存するおそれがあるという問題点があり、本体２０の半径サイズに比べて５％以上に形成されることが好ましい。
【００３７】
上記と関連して、前記折曲部２２ａは、図５に示すように、内側面に「Ｖ」字状、より詳しくは「＜」状の折曲溝２２ａ−１が形成されることを特徴とするが、前記折曲溝２２ａ−１は、本体２０が反時計回りに回転して入口６４から分離されると、図６に示すように、容易に外側方向に折れるようにする効果を実現させる。
【００３８】
すなわち、前記折曲溝２２ａ−１は、折曲部２２ａによって本体２０が再び元の位置に移動しようとする復元力を減衰させるためのものであって、入口６４から分離された本体２０が入口６４の外側方向に容易に折れるようにして、ユーザーの飲用時に本体２０が顔部分に触れるのを防止することができる。
【００３９】
また、前記折曲溝２２ａ−１が折曲部２２ａに形成される深さは、折曲部２２ａの厚さの５０〜７０％以下であることが好ましいが、これは、５０％未満の場合には、本体２０が容易に上部リング３０と分離でき、７０％を超える場合には、本体２０が元の位置に移動しようとする復元力があまりにも増大して飲用の際にユーザーの顔に本体２０が触れて不便さを感じるという問題点が発生することがあり、前記折曲溝が折曲部に形成される深さは折曲部２２ａの厚さの５０〜７０％以下であることが好ましい。
【００４０】
上記と関連して、前記折曲部２２ａは、図８に示すように、外周面に熱融着されるホットメルト５０をさらに含んで構成できるが、前記ホットメルト５０は、一般に使用されるホットメルト５０を使用するが、０．５〜１ｍｍの厚さに熱融着されて折曲部２２ａの強度を向上させるだけでなく、本体２０が折曲部２２ａによって折り曲げられた、すなわち折れた状態を維持することができる効果を実現させる。
【００４１】
つまり、前記ホットメルト５０は、本体２０が折曲部２２ａを基準に入口６４の外側方向に折れた状態を維持するようにすることにより、飲用時にユーザーの顔に触れないようにして不便さを感じないようにし、折曲部２２ａの強度を向上させて、後述される上部リング３０と下部リング４０を容器６０から完全に分離させるとき、折曲部２２ａが先に破断されることを防止することができるという効果が得られる。
【００４２】
付加して説明すると、前記ホットメルト５０が折曲部２２ａの外周面全体または外周面の中央部分の一部に形成されても、上述したような効果を得ることができるのは自明であり、好ましくは、図８に示すように、本体２０の下部外周縁の一部と上部リング３０の上部外周縁の一部まで上下、すなわち高さが形成されることが本体２０と上部リング３０との結合力を向上させることができる。
【００４３】
本発明を達成するための主要構成要素である下部リング４０は、
上部リング３０の下部に切断可能な第２破裂部３２で連結されるものであって、図２に示すように、本体２０が入口６４に結合されているとき、入口６４の下部に形成される係止溝６６に位置し、図５に示すように、下部面に外側方向に行くほど高さが高くなる傾斜面４４ａを有する離脱防止突起４４が内周面に突設され、入口６４から本体２０が分離されたとき、本体２０と上部リング３０が容器６０から離脱して分離されることを防止する効果を実現させる。
【００４４】
すなわち、本発明の下部リング４０は、本体２０が反時計回りに回転して上部へ移動するとき、発生するねじり力によって第１破裂部２２が破断され、前記第１破裂部２２が破断され、一緒に回転する上部リング３０に発生するねじり力によって第２破裂部３２が破断された後、本体２０が入口６４から分離されると、内側面に突設された離脱防止突起４４が係止溝６６に係止されることにより、本体２０と上部リング３０が容器６０から完全に分離されることを防止する。
【００４５】
また、前記第２破裂部３２は、前記上部リング３０と下部リング４０とが切断されて分離されないように背面に形成される連結部３２ａを含んで構成されるが、前記連結部３２ａは、先立って説明された第１破裂部２２の折曲部２２ａが、本体２０と上部リング３０が互いに完全分離されることを防止するのと同様に、上部リング３０と下部リング４０が互いに完全分離されることを防止することにより、ユーザーの飲用時に容器６０から本体２０が完全に分離されないようにして、本体２０の紛失するおそれを未然に防止する効果を実現させる。
【００４６】
この時、前記連結部３２ａは、前述した折曲部２２ａとは異なり折曲溝などが形成されていないように、すなわち上部リング３０と下部リング４０の背面の一部が一体に連結されて形成されるので、折曲部２２ａに比べて連結強度が強く、これによりリサイクルの際に本体２０を上部方向に強く引っ張ると、下部リング４０が容器６０の係止溝６６から離脱して本発明のキャップ１０が容器６０から完全分離される効果を得ることができる。
【００４７】
付加して説明すると、前記連結部３２ａが形成される長さは、本体２０の半径サイズに比べて１０〜１４％の長さに形成されることが好ましいが、これは、折曲部２２ａが本体２０の半径サイズに比べて５〜７％の長さに形成されるのに比べて約２倍の差がある。
【００４８】
つまり、前記連結部３２ａは、折曲部２２ａの長さより１．５〜２倍の長さに形成されることを特徴とし、これは、前記連結部３２ａが折曲部２２ａの長さよりも１．５倍未満、すなわち、本体２０の半径サイズに比べて１０％未満の長さに形成されると、本体２０が反時計回りに回転して入口６４の上部方向に移動するとき、一緒に後方が上部方向に移動する上部リング３０の前面、すなわち、連結部３２ａを基準に入口６４の外側方向に折れるようになり、上部リング３０が折れることにより復元力が弱くなり、これにより入口６４の上部へ移動した本体２０が下部方向に復元されなくなり、ユーザーの顔に触れて不便さが発生するという問題がある。
【００４９】
再度説明すると、前記連結部３２ａは、本体２０の半径サイズに比べて１０％未満の長さに形成されて上部リング３０を元の位置に戻るようにすると、飲用の際にユーザーの顔に本体２０が触れるのを防止することができる。
【００５０】
また、前記連結部３２ａが折曲部２２ａの長さの２倍を超える、すなわち、本体２０の半径サイズに比べて１４％を超える長さに形成されると、上部リング３０を元の位置に移動させようとする復元力があまりにも強くて本体２０を入口６４から分離、すなわち、容器６０を開放することが難しい問題があるので、前記連結部３２ａは、折曲部２２ａの長さよりも１．５〜２倍、すなわち、本体２０の半径サイズに比べて１０〜１４％の長さに形成されることが好ましい。
【００５１】
上記と関連して、前記連結部３２ａは、折曲部２２ａと反対の方向である背面に形成されることにより、ねじり力によって第１破裂部２２と第２破裂部３２とが自然に破断されるようにするとともに、リサイクルの際に本体２０を上部方向に引っ張ると後述の破断溝４２が容易に破断される効果を実現するようにする。
【００５２】
つまり、本発明の下部リング４０は、連結部３２ａの一側に第２破裂部３２の下部末端から下部リング４０の下部末端まで形成される破断溝４２を含んで構成され、より詳細に説明すると、前記破断溝４２は、図３及び図４に示すように、第２破裂部３２の末端から下部リング４０の下部末端面まで、言い換えれば、下部リング４０に形成されるが、第２破裂部３２の一側及び他側のうちのいずれかの末端に垂直に形成される。
【００５３】
また、前記破断溝４２は、飲用時には下部リング４０がリング形状を維持することができるようにし、リサイクル時には本体２０を上部方向に引っ張ると破断され、本発明のキャップ１０、すなわち本体２０、上部リング３０及び下部リング４０が容器６０から完全に分離されるようにする効果を実現させる。
【００５４】
この際、前記破断溝４２は、下部リング４０の外周縁に「Ｖ」字状に形成されることが好ましいが、これは、本体２０を上部方向に引っ張ると連結部３２ａが上部方向及び入口４２の外側方向に引っ張られるようになり、これにより下部リング４０の背面、すなわち、連結部３２ａの下部に該当する部分が外側方向に折れることにより下部リング４０の外周縁に形成されることが好ましい。
【００５５】
言い換えれば、前記破断溝４２は、本体２０が上部へ移動するにつれて上部リング３０、すなわち連結部３２ａが上部へ移動し、下部リング４０は、離脱防止突起４４によって係止溝６６に係止され、これにより、連結部３２ａが入口６４の外側方向に折れるため、破断溝が下部リング４０の内周縁に形成されると、破断溝４２が破断されずに曲がることができるが、破断溝が下部リング４０の外周縁に形成されると、破断溝４２が曲がると同時に破断されるのである。
【００５６】
上記と関連して、本発明の下部リング４０の内周面に突設される複数の離脱防止突起４４は、図５に示すように、下部面に外側方向に、すなわち、入口６４の外側方向に行くほど高さが高くなる傾斜面４４ａが形成されることにより、破断溝４２が破断されなかったとき、離脱防止突起４４が傾斜面４４ａによって下部方向に曲がって係止溝６６から離脱してエコキャップ１０を容器６０から完全に分離することができる。
【００５７】
総合して説明すると、本発明のエコキャップ１０は、本体２０を反時計回りに回転させて第１破裂部２２にねじり力を加えると、上部リング３０もねじり力が作用して第２破裂部３２にねじり力が加わるようになり、これにより第１、２破裂部２２、３２が破断されて本体２０が入口６４から分離されると、本体２０は折曲部２２ａとホットメルト５０によって折り曲げられた状態を維持することにより、ユーザーの飲用時に本体２０が顔部分に触れる不便さを解消することができる。
【００５８】
また、本発明のキャップ１０の折曲部２２ａは、折曲溝２２ａ−１とホットメルト５０によって本体２０を入口６４の外側方向に自然に曲がるようにするだけでなく、強度を向上させることで繰り返す動きにより破断するのを防止することができ、下部リング４０の破断溝４２を破断させるために本体２０を上部に引っ張るときにも破断溝４２より先に破断するのを防止することができる。
【００５９】
また、本発明の下部リング４０の離脱防止突起４４は、破断溝４２の不良により、本体２０を引っ張っても破断溝４２が破断されない場合、係止溝６６に係止されて自然に下部方向に曲がることができるようにすることにより、キャップ１０が容器６０から完全に分離できるようにする効果を得ることができる。
【００６０】
特に、本発明は、本出願人が先出願した韓国公開実用新案第２０１５−０００１９３１号とは異なり、上部リング３０が破断されないようにすることにより、本体２０がさらに安定的に入口６４の外側に固定された状態を維持することができるようにして、ユーザーの飲用時に不便さを最小限に抑えた。
【００６１】
以上、本発明の好適な実施形態を参照して説明したが、本発明は、これらの実施形態に限定されず、本発明の属する技術分野における通常の知識を有する者が、本発明の要旨を逸脱することなく、様々な変更を加えて実施することができる。
【図１】
2019534218.tif 000003
【図２】
2019534218.tif 000004
【図３ａ）】
2019534218.tif 000005
【図３ｂ）】
2019534218.tif 000006
【図４ａ）】
2019534218.tif 000007
【図４ｂ）】
2019534218.tif 000008
【図５】
2019534218.tif 000009
【図６】
2019534218.tif 000010
【図７】
2019534218.tif 000011
【図８】
2019534218.tif 000012
【国際調査報告】
2019534218.tif 000013
2019534218.tif 000014
2019534218.tif 000015
2019534218.tif 000016